(57)【特許請求の範囲】
【請求項１】
商品を収納するトレー(1)と、その周壁の外側に被せる外装体(2)とから成り、包装状態では、トレー(1)と外装体(2)とを固定しておき、商品展示に際し、その固定を解除して、トレー(1)から外装体(2)を引き抜く包装展示兼用箱において、前記トレー(1)の側壁(11)と端壁(12)とに挟まれたコーナー部に襞部(16)を設け、襞部(16)と側壁(11)及び端壁(12)の境界に隅罫線(17)を入れると共に、襞部(16)の中間部に、隅罫線(17)と平行にならないように傾斜又は湾曲した中罫線(18)を入れ、トレー(1)と外装体(2)とを固定して折り畳んだ状態では、同一面にある側壁(11)と端壁(12)の間に介在する襞部(16)が伸びた状態となり、トレー(1)と外装体(2)の周壁を角筒状に形成すると、この襞部(16)が隅罫線(17)及び中罫線(18)に沿って内側へ折れ曲がるようにしたことを特徴とする包装展示兼用箱。
【発明の詳細な説明】
【技術分野】
【０００１】
この発明は、商品の輸送及び店頭での展示に兼用できる箱に関するものである。
【背景技術】
【０００２】
従来、包装展示兼用箱として、下記特許文献１には、図７に示すようなものが記載されている。この包装展示兼用箱は、商品を収納するトレー５１と、これに被せる外装体５２とから成り、包装状態では、トレー５１と外装体５２とを、接着部５３，５４において接着剤により貼り合わせて固定している。
【０００３】
また、商品展示に際しては、外装体５２に切目線を入れて形成した切開部５５を切り開くと共に、これに付着したトレー５１の接着部５３をトレー５１から切り取って、トレー５１と外装体５２の固定を解除し、トレー５１から外装体５２を上方へ引き抜き、商品をトレー５１から露出させて陳列する。
【０００４】
このような包装展示兼用箱では、トレー５１と外装体５２の周方向の寸法差をあまり大きくすると、折り畳みが困難となるので、この周方向の寸法差を極力小さくして、外装体５２の側壁５６と端壁５７の稜部に上下から切込５８を入れ、切込５８を広げつつ、トレー５１を外装体５２に挿入できるようにしている。
【先行技術文献】
【特許文献】
【０００５】
【特許文献１】登録実用新案第３１５１３５５号公報
【発明の概要】
【発明が解決しようとする課題】
【０００６】
しかしながら、上記のような包装展示兼用箱では、外装体５２の耐圧強度が劣化し、複数個積み上げると、外装体５２が積上荷重に耐えられず、周壁に座屈を生じて大きく変形するおそれがある。
【０００７】
そこで、この発明は、トレーと外装体とを固定した状態で、無理なく扁平に折り畳むことができ、その状態から組み立てて耐圧強度を確保できるようにすることを課題とする。
【課題を解決するための手段】
【０００８】
上記課題を解決するため、この発明は、商品を収納するトレーと、その周壁の外側に被せる外装体とから成り、包装状態では、トレーと外装体とを固定しておき、商品展示に際し、その固定を解除して、トレーから外装体を引き抜く包装展示兼用箱において、前記トレーの側壁と端壁とに挟まれたコーナー部に襞部を設け、襞部と側壁及び端壁の境界に隅罫線を入れると共に、襞部の中間部に、隅罫線と平行にならないように傾斜又は湾曲した中罫線を入れ、トレーと外装体とを固定して折り畳んだ状態では、同一面にある側壁と端壁の間に介在する襞部が伸びた状態となり、トレーと外装体の周壁を角筒状に形成すると、この襞部が隅罫線及び中罫線に沿って内側へ折れ曲がるようにしたのである。
【発明の効果】
【０００９】
この包装展示兼用箱では、襞部が伸びることにより、無理なく扁平に折り畳むことができ、また、折畳状態から周壁を角筒状に形成する際、襞部の中罫線に沿った屈曲に伴い、トレーと外装体の周方向の寸法差が吸収されるので、外装体の稜部に切込を入れなくても組み立てが可能となり、耐圧強度が低下することがない。
【図面の簡単な説明】
【００１０】
【図１】この発明に係る包装展示兼用箱のトレー及び外装体のブランクを示す図
【図２】同上の折畳状態を示す斜視図
【図３】同上の組立状態を示す斜視図
【図４】同上のトレーから外装体を引き抜いた状態を示す斜視図
【図５】同上のトレーによる展示状態を示す斜視図
【図６】同上の中罫線を（ａ）菱形状、（ｂ）弧状、（ｃ）山形状とした例を示す一部拡大図
【図７】従来の包装展示兼用箱のトレーから外装体を引き抜いた状態を示す斜視図
【発明を実施するための形態】
【００１１】
以下、この発明の実施形態を添付図面に基づいて説明する。
【００１２】
この包装展示兼用箱は、段ボールを材料とし、図１にブランクの状態で示すように、トレー１と外装体２とから構成される。
【００１３】
トレー１のブランクでは、段目が水平方向へ向き、周壁を形成する部分として、長手方向の側壁１１と幅方向の端壁１２とが各一対交互に連設され、一方の端壁１２の外側端には継代片１３が連設されている。側壁１１及び端壁１２の下端には、それぞれ底板１４，１５が連設されている。
【００１４】
一方の端壁１２と継代片１３の間及び反対側の側壁１１と端壁１２の間には、襞部１６が隅罫線１７を境界として介在している。襞部１６の中間部には、隅罫線１７と平行にならないように「く」字状の折線となった中罫線１８が入れられている。
【００１５】
隅罫線１７は、段ボールの裏面から押圧され、中罫線１８は、隅罫線１７とは逆方向へ折れ曲がるように段ボールの表面から押圧された逆罫線とされている。
【００１６】
各側壁１１の上端縁は、展示状態での視覚的効果を考慮して膨出弧状とされ、一対の側壁１１に挟まれた端壁１２の上端には、訴求性を向上させるため、キャッチコピー等の広告を印刷する表示板１９が連設されている。
【００１７】
また、外装体２のブランクでは、段目が垂直方向へ向き、周壁を形成する部分として、長手方向の側壁２１と幅方向の端壁２２とが各一対交互に連設され、一方の側壁２１の外側端には継代片２３が連設されている。側壁２１及び端壁２２の下端には、それぞれ天板２４，２５が連設されている。
【００１８】
一対の側壁２１の下部には、引出部２６が設けられている。引出部２６の両側端には、鉤状の切目が断続するジッパ型の切目線２７が垂直方向に入れられ、上端には山形をなす折目線２８が入れられ、中央部には折目線２９が垂直方向に入れられている。
【００１９】
トレー１の側壁１１及び端壁１２の左右方向の寸法は、外装体２の抜き差しを容易にするため、それぞれ外装体２の側壁２１及び端壁２２の左右方向の寸法よりも、段ボール２枚分の厚さ以上小さくなっている。
【００２０】
このようなブランクから包装展示兼用箱を製造する際には、図２に示すように、トレー１を、周壁の対角線上に位置する罫線に沿って折り重ね、継代片１３を反対側の側壁１１の内面に貼り付け、一方の襞部１６を中罫線１８に沿って内側へ折り曲げる。
【００２１】
また、外装体２を、周壁の対角線上に位置する罫線に沿って折り重ねると共に、その内側に扁平な折畳状態となったトレー１の周壁部分を挟み込み、側壁１１と側壁２１の引出部２６とを接着部ａで貼り合わせて、トレー１と外装体２とを固定し、継代片２３を反対側の端壁２２の外面に貼り付ける。
【００２２】
この折畳状態では、同一面にある側壁１１と端壁１２の間に介在する襞部１６は、伸びた状態となる。
【００２３】
そして、この折畳状態で輸送・保管していた包装展示兼用箱により商品を包装する際、図３に示すように、トレー１と外装体２の周壁を角筒状に形成すると、伸びていた襞部１６が中罫線１８に沿って内側へ折れ曲がる。
【００２４】
このとき、中罫線１８が折曲抵抗の大きい「く」字状となっているので、隅罫線１７に沿って側壁１１と端壁１２とが襞部１６に対し折れ曲がる前に、襞部１６が中罫線１８に沿って外側へ突き出すように折れ曲がることがなく、安定して内側へ折れ曲がる。
【００２５】
このように、トレー１及び外装体２の周壁を角筒状とした後、底板１５，１４を順次内側へ折り曲げて貼り合わせ、底面を閉じた状態で、商品をトレー１に収納し、天板２５，２４を順次内側へ折り曲げて貼り合わせ、天面を閉じて封緘する。
【００２６】
一方、上記のように包装した商品を店頭で展示する際には、図４に示すように、引出部２６の下縁に指を掛けて外側へ引っ張ることにより、切目線２７を切断し、引出部２６を折目線２８，２９に沿って撓ませつつ、側壁１１から引き剥がして、トレー１から外装体２を上方へ引き抜き、商品Ｇを露出させる。
【００２７】
その後、図５に示すように、正面側となる端壁１２から表示板１９の両側部分を折り重ねて、表示板１９を下方が手前に迫り出すように傾斜させると、表示板１９に印刷した広告が見えやすくなり、訴求力が向上する。
【００２８】
上記のような包装展示兼用箱では、襞部１６が伸びることにより、無理なく扁平に折り畳むことができ、また、折畳状態から周壁を角筒状に形成する際、襞部１６の中罫線１８に沿った屈曲に伴い、トレー１と外装体２の周方向の寸法差が吸収されるので、外装体２の稜部に切込を入れなくても組み立てが可能となり、耐圧強度が低下することがない。
【００２９】
また、展示状態において、トレー１の周壁のコーナー部に屈伸する襞部１６が介在しているので、側壁１１及び端壁１２が胴膨れするように外側へ拡がる現象が防止される。
【００３０】
なお、上記実施形態では、中罫線１８として、「く」字状の折線となったものを例示したが、中罫線１８は、図６（ａ）に示すように、菱形状としてもよく、図６（ｂ）に示すように、弧状としてもよく、図６（ｃ）に示すように、山形状としてもよい。すなわち、中罫線１８を、隅罫線１７に対して平行とならず、傾斜又は湾曲するように入れれば、折り畳みや組み立てに際し、同様の効果を得ることができる。
【００３１】
また、襞部１６が一方の端壁１２と継代片１３の間及び反対側の側壁１１と端壁１２の間に設けられたものを例示したが、襞部１６は、少なくとも折畳時に同一面となる側壁１１と端壁１２の間に設けられていればよく、他のコーナー部についての有無は問わない。
【００３２】
また、周壁が四角筒状となる直方体の箱について例示したが、周壁が六角筒状や八角筒状等となる多面体の箱においても、同様の構成を適用することができる。
【符号の説明】
【００３３】
１  トレー
２  外装体
１１  側壁
１２  端壁
１３  継代片
１４，１５  底板
１６  襞部
１７  隅罫線
１８  中罫線
１９  表示板
２１  側壁
２２  端壁
２３  継代片
２４，２５  天板
２６  引出部
２７  切目線
２８，２９  折目線
ａ  接着部
Ｇ  商品
【図１】
0005731265.tif 000002
【図２】
0005731265.tif 000003
【図３】
0005731265.tif 000004
【図４】
0005731265.tif 000005
【図５】
0005731265.tif 000006
【図６】
0005731265.tif 000007
【図７】
0005731265.tif 000008